(57)【特許請求の範囲】
【請求項１】
少なくとも一部が平坦でかつ互いに平行な底面と天面とを有した立体形状の立体部材と、
前記立体部材の前記天面に設けられ、１本のペンを格納するためのペン立て用凹部と、を備え、
前記ペン立て用凹部は筒状凹部の断面円周上に、当該断面円周の直径より小径の円弧を断面とする筒状形状を複数有した断面形状であることを特徴とするペン立て。
【請求項２】
前記ペン立て用凹部における断面の最大長さをＡとし、深さをＢとしたとき、Ａ＜Ｂの関係を満たすことを特徴とする請求項１に記載のペン立て。
【請求項３】
前記ペン立て用凹部の前記筒状形状が５個、６個、７個、又は８個であることを特徴とする請求項１又は２に記載のペン立て。
【請求項４】
前記立体部材は、アルミ、ステンレス、又は真鍮であることを特徴とする請求項１〜３のいずれかに記載のペン立て。
【請求項５】
前記立体部材の表面の表面粗さがＲａ０．４〜Ｒａ０．１２（▽▽▽〜▽▽▽▽）であることを特徴とする請求項１〜４のいずれかに記載のペン立て。
【発明の詳細な説明】
【技術分野】
【０００１】
本発明は、簡単な構成ながら取り出し易く格納し易いペン立てに関するものである。
【背景技術】
【０００２】
従来から、筆記具の格納具については様々な形態のものが販売され活用されている。事務机の上に置いて使うペン立てはあまりスペースをとらず取り出し易いものが好まれる。
【０００３】
特許文献１には、ボールペン等を安定させるボールペン立て部を文鎮に施したペン立てが記載されている。
【先行技術文献】
【特許文献】
【０００４】
特許文献１：実開平１−９７９９７号公報
【発明の概要】
【発明が解決しようとする課題】
【０００５】
しかしながら、特許文献１に記載のものは、円筒形状のボールペンが円筒凹状のボールペン立て部で格納されているため、ボールペン立て部に格納したボールペンは安定するが、反面、取り出しにくいという問題点があった。
【０００６】
本発明は、上記問題点を解決して、簡単な構造で格納しやすく取り出しやすいペン立てを実現することを課題とする。
【課題を解決するための手段】
【０００７】
上記の課題を解決するために本発明は、少なくとも一部が平坦でかつ互いに平行な底面と天面とを有した立体形状の立体部材と、
前記立体部材の前記天面に設けられ、１本のペンを格納するためのペン立て用凹部と、を備え、
前記ペン立て用凹部は、筒状凹部の断面円周上に、当該断面円周の直径より小径の円弧を断面とする筒状形状を複数有した断面形状であることを特徴とするペン立てを提供するものである。
【０００８】
この構成により、デザイン性に優れるとともに、小径円弧を断面とする筒状形状に倒れかかるように格納したペンがペン立て用凹部内での隙間が十分確保されるとともに、ペン立て用凹部でとり易い角度で傾斜することにより、簡単な構造で格納しやすく取り出しやすいペン立てを実現することができる。
【００１１】
前記ペン立て用凹部における断面の最大長さをＡとし、深さをＢとしたとき、Ａ＜Ｂの関係を満たす構成としてもよい。
【００１２】
この構成により、ペン立て用凹部でペン立て用凹部内での隙間が安定的に十分保たれるとともに、取り出し易い角度で傾斜することにより、簡単な構造で格納しやすく取り出しやすいペン立てを実現することができる。
【００１３】
前記ペン立て用凹部の前記筒状形状が５個、６個、７個、又は８個である構成としてもよい。
【００１４】
この構成により、ペン立て用凹部の前記筒状形状における５個、６個、７個、又は８個の角部に倒れかかるように格納したペンがペン立て用凹部内での隙間が十分確保されるとともに、ペン立て用凹部でとり易い角度で傾斜することにより、簡単な構造で格納しやすく取り出しやすいペン立てを実現することができる。
【００１５】
前記立体部材は、アルミ、ステンレス、又は真鍮である構成としてもよい。
【００１６】
この構成により、表面を鏡面状に切削加工することで、デザイン性に優れるとともに、一定の重量を持つことで安定したペン立てとすることができる。また、ペーパーウエイトとしても利用可能である。
【００１７】
前記立体部材の表面の表面粗さがＲａ０．４〜Ｒａ０．１２（▽▽▽〜▽▽▽▽）である構成としてもよい。
【００１８】
この構成により、立体部材の表面が鏡面状となり、特にデザイン性に優れたペン立てとすることができる。
【発明の効果】
【００１９】
本発明のペン立てにより、簡単な構造で格納しやすく取り出しやすいペン立てを実現することができる。
【図面の簡単な説明】
【００２０】
【図１】本発明の実施例１におけるペン立てを説明する図であり、（ａ）は正面図、（ｂ）は右側面図、（ｃ）は左側面図、（ｄ）は上面図、（ｅ）は下面図である。
【図２】本発明の実施例１におけるペン立てを説明する裏面図である。
【図３】本発明の実施例１におけるペン立てにペンを挿入した状態を説明する図である。
【図４】本発明の実施例２におけるペン立てを説明する図であり、（ａ）は正面図、（ｂ）は右側面図、（ｃ）は左側面図、（ｄ）は上面図、（ｅ）は下面図である。
【図５】本発明の実施例２におけるペン立てを説明する裏面図である。
【図６】本発明の実施例２におけるペン立て凹部の断面略六角形を説明する図である。
【発明を実施するための形態】
【実施例１】
【００２１】
本発明の実施例１について、図１〜図３を参照して説明する。図１は、本発明の実施例１におけるペン立てを説明する図であり、（ａ）は正面図、（ｂ）は右側面図、（ｃ）は左側面図、（ｄ）は上面図、（ｅ）は下面図である。図２は、本発明の実施例１におけるペン立てを説明する裏面図である。図３は、本発明の実施例１におけるペン立てにペンを挿入した状態を説明する図である。
【００２２】
実施例１におけるペン立て１０は、アルミを削り出した略四角柱の立体部材１１の天面１４から底面１５に向かって断面略六角形、つまり断面略多角形のペン立て用凹部１２が彫られている。また、立体部材１１は天面１４の正面視左側に一段低くなった平面を有し、図案形成部１６が設けられている。この図案形成部１６には、お土産用として相応しい図案を彫ることができる。立体部材１１は幅１００ｍｍ×高さ１８ｍｍ×奥行き２５ｍｍの寸法を有し、アルミ製であるため一定の重みがありペン立てとして机の上に置いても安定感が感じられるものである。
【００２３】
天面１４と底面１５は互いに平行であり、ともに平坦である。また、天面１４、底面１５、及び図案形成部１６を含む立体部材１１の外面は、鏡面状に切削加工されていて、その表面粗さは、Ｒａ０．４〜Ｒａ０．１２（▽▽▽〜▽▽▽▽）である。そのため、デザイン性に優れ、表面に光を当てると反射光は削り痕で種々の屈折率を有することにより虹色に見える。
【００２４】
ペン立て用凹部１２は、天面１４から底面１５に向かって垂直に彫られ、断面形状は略六角形である。断面略六角形の最大寸法は１４ｍｍで深さは１７ｍｍである。この凹部の寸法は後述するように、ペンを格納しやすく、また、取り出し易い寸法となっている。ペン立て用凹部１２が底面１５に平行で平坦な天面１４に断面略六角形で設けられていることにより、略六角形の角部である６つの方向にペンが倒れるように格納することができる。このため、当該ペン立て１０の置かれる方向や使用者の右利き、左利きによらず、ペンＰを格納したときの倒れ方向を選択できるため、格納しやすく取り出しやすいペン立てとすることができる。
【００２５】
ここで、ペン立て用凹部１２の断面略六角形は、正六角形でなくてもよい。いずれかの１辺又は２辺が多少長くてもよい。また、いずれかの辺や角部に円弧などの突起や凹みがあってもよい。ペン立てとしてのデザインにより適宜決定することができる。
【００２６】
ペン立て用凹部１２の断面長さと深さの関係について、図３を参照して説明する。ペン立て用凹部１２にペンＰを格納したとき、ペンＰは断面略六角形のいずれかの角部に倒れかかるように保持され、図３に示すように、ペン立て用凹部１２内で十分な隙間を持っている。また、断面の最大長さをＡとし、深さをＢとしたときにＡ＜Ｂの関係を満たし、また、ペン立て用凹部１２における深さＢに対する断面の最大長さＡの比率は、０．６＜Ａ／Ｂ＜０．８５の関係を満たすようにペン立て用凹部１２を構成している。このため、ペンＰは取り出しやすい角度θに保たれる。実施例１においては、角度θは、約６０°、Ａは１４ｍｍ、Ｂは１７ｍｍであるが、好適には、Ａ＝１０〜１８ｍｍ、Ｂ＝１５ｍｍがよく、Ａ＝１０ｍｍとしたときは、Ｂ＝１５ｍｍが好適で、Ａ＝１８ｍｍとしたときは、Ｂ＝２２ｍｍが好適である。また、θ＝５０°〜７０°程度に構成するのがよい。
【００２７】
なお、実施例１においては、立体部材１１の底面１５の全域が平坦であるようにしたが、必ずしもこれに限定されず適宜変更が可能である。例えば、底面１５の一部に窪みを設けたデザインとしてもよい。少なくとも底面１５の一部が平坦であればよい。
【００２８】
また、実施例１においては、ペン立て用凹部１２の断面形状を略六角形としたが、必ずしもこれに限定されず適宜変更が可能である。例えば、略五角形でもよいし、略七角形でもよいし、略八角形でもよい。
【００２９】
さらに、実施例１においては、アルミを切削加工して立体部材１１を構成したが、必ずしもこれに限定されず適宜変更が可能である。例えば、ステンレスを切削加工して構成してもよいし、真鍮を切削加工して構成してもよい。また、アルミ、ステンレス、又は真鍮の表面になんらかのメッキを施してもよい。
【００３０】
また、実施例１のおいては、ペン立て用凹部１２の断面の最大長さをＡとし、深さをＢとしたときにＡ＜Ｂの関係を満たすように構成したが、必ずしもこれに限定されず適宜変更が可能である。例えば、Ａ＞Ｂの関係を満たすように構成してもよいし、Ａ＝Ｂの関係を満たすように構成してもよい。ＡやＢの寸法が極端に小さい場合や大きい場合等には最適な関係を満足するように、ペン立て用凹部１２を構成すればよい。
【００３１】
このように実施例１においては、少なくとも一部が平坦でかつ互いに平行な底面と天面とを有した立体形状の立体部材と、
前記立体部材の前記天面に設けられ、断面形状が略多角形状であり、１本のペンを格納するためのペン立て用凹部と、を備えたことを特徴とするペン立てにより、簡単な構造で格納しやすく取り出しやすいペン立てを実現することができる。
【実施例２】
【００３２】
本発明の実施例２は、ペン立て用凹部の断面略多角形における断面形状は円形の断面円周上に当該円形の直径より小径の円弧を複数有している点で実施例１と異なっている。実施例２について、図４〜図６を参照して説明する。図４は、本発明の実施例２におけるペン立てを説明する図であり、（ａ）は正面図、（ｂ）は右側面図、（ｃ）は左側面図、（ｄ）は上面図、（ｅ）は下面図である。図５は、本発明の実施例２におけるペン立てを説明する裏面図である。図６は、本発明の実施例２におけるペン立て凹部の断面略六角形を説明する図である。
【００３３】
実施例２におけるペン立て２０は、りんごの形状に似せて丸みを帯びた立体部材２１を有している。そして、アルミを切削加工した立体部材２１の天面２４から底面２５に向かって垂直に断面略六角形、つまり断面略多角形のペン立て用凹部２２が彫られている。また、立体部材２１は天面２４の正面視左側に平面状のスペースを有しているのでお土産用として相応しい図案を彫ってもよい。立体部材２１は幅４２ｍｍ×高さ１７．５ｍｍ×奥行き４１ｍｍの大きさを有し、アルミ製であるため一定の重みがありペン立てとして机の上に置いても安定感が感じられるものである。
【００３４】
天面２４と底面２５は互いに平行であり、ともに平坦である。また、天面２４、底面２５を含む立体部材２１の外面は、鏡面状に切削加工されていて、その表面粗さは、Ｒａ０．４〜Ｒａ０．１２（▽▽▽〜▽▽▽▽）である。そのため、デザイン性に優れ、表面に光を当てると反射光は削り痕で種々の屈折率を有することにより虹色に見える。
【００３５】
ペン立て用凹部２２は、底面２５と平行で平坦な天面２４に断面略六角形で設けられ、最大寸法が１４ｍｍ、深さが１７ｍｍである。この凹部の寸法はペンを格納しやすく、また、取り出し易い寸法となっている。また、ペン立て用凹部２２の断面形状が断面略六角形で設けられていることにより、ペンが倒れる方向を６つの方向から選択して格納することができるため、当該ペン立て２０の置かれる方向や右利き、左利きにかかわらず、格納しやすく、取り出しやすいペン立てとすることができる。
【００３６】
ここで、実施例２におけるペン立て用凹部２２の断面略六角形は、断面形状が円形の断面円周上に中心を有する当該円形の直径より小径の円弧を断面とし、円筒状凹部の円周上に小径円弧による筒状形状を６個有している。図６に、実施例２におけるペン立て凹部の断面略六角形を示す。実施例２における断面略六角形は、φ１２の円周上に中心を有するφ２の小径円弧が１７．３ｍｍの深さで６個均等に配置されている。φ１２の円筒は深さ１７ｍｍであり、小径円弧の深さより浅くすることによりデザイン性に優れたペン立て用凹部２２とすることができる。ペン立て用凹部２２に格納したペンＰは、６個の小径円弧を断面とする筒状形状部分のいずれかに倒れかかり、複数の方向からペンを格納しやすく、また、取り出し易くなっている。また、この小径円弧を断面とする筒状形状は、丸みを帯びた立体部材２１のデザインに相応しい形状となっている。
【００３７】
実施例２においても、ペン立て用凹部２２にペンＰを格納したとき、ペンＰは断面略六角形である円筒状凹部の断面円周上に均等に配置された６個の小径円弧を断面とする筒状形状のいずれかに倒れかかるように保持され、図３に示すように、ペン立て用凹部１２内で十分な隙間を持っている。また、断面の最大長さをＡとし、深さをＢとしたときにＡ＜Ｂの関係を満たし、また、ペン立て用凹部２２における深さＢに対する断面の最大長さＡの比率は、０．６＜Ａ／Ｂ＜０．８５の関係を満たすようにペン立て用凹部１２を構成しているので、ペンＰは取り出しやすい角度θに保たれる。実際の角度θは、約５０°〜７０°が好適であり、より好適には、θ＝６０°である。また、実施例２におけるＡは１４ｍｍ、Ｂは１７ｍｍであり、貫通していない。
【００３８】
なお、実施例２においては、立体部材２１の底面２５の全域が平坦であるようにしたが、必ずしもこれに限定されず適宜変更が可能である。例えば、底面２５の一部に窪みを設けたデザインとしてもよい。少なくとも底面２５の一部が平坦であればよい。
【００３９】
また、実施例２においては、ペン立て用凹部２２の断面形状を略六角形となるように円筒状凹部の断面円周上に６個の小径円弧を断面とする筒状形状を有したが、必ずしもこれに限定されず適宜変更が可能である。例えば、略五角形となるように５個の小径円弧を有してもよいし、略七角形となるように７個の小径円弧を有してもよいし、略八角形となるように８個の小径円弧を有してもよい。また、小径円弧を断面とする筒状形状はそれぞれの間隔が必ずしも均等に配置されなくてもよい。
【００４０】
また、実施例２においては、ペン立て用凹部２２の断面略六角形は、円筒状凹部の断面円周上に中心を有し均等に配置された６個の小径円弧を断面とし、円筒状凹部の円周上に小径円弧による筒状形状を有しているように構成したが、必ずしもこれに限定されず適宜変更が可能である。例えば、円筒状凹部の断面円周上に配置される６個の小径円弧は、断面円周上に中心を有さなくてもよく、また、断面円周上にそれぞれの間隔が均等に配置されなくてもよい。
【００４１】
また、実施例２における断面略六角形は、φ１２の円周上に中心を有するφ２の小径円弧が６個設けられているように構成したが、必ずしもこれに限定されず適宜変更が可能である。例えば、φ１０の円周上に中心を有するφ１の小径円弧が６個設けられているように構成してもよいし、φ１６の円周上に中心を有するφ３の小径円弧が６個設けられているように構成してもよい。
【００４２】
さらに、実施例１においては、立体部材２１をアルミで構成したが、必ずしもこれに限定されず適宜変更が可能である。例えば、ステンレスで構成してもよいし、真鍮で構成してもよい。また、アルミ、ステンレス、又は真鍮の表面になんらかのメッキを施してもよい。
【００４３】
このように実施例２においては、ペン立て用凹部は円筒状凹部の断面円周上に複数の小径円弧を断面とする筒状形状を有していることにより、デザイン性がよいとともに、ペン立て用凹部にペンを格納したとき、ペンは断面略六角形である円筒状凹部の断面円周上に配置された複数の小径円弧を断面とする筒状形状のいずれかに倒れかかるように保持され、ペン立て用凹部内で十分な隙間を持っているため、どの方向からでもペンを格納しやすく、取り出しやすい。
【産業上の利用可能性】
【００４４】
本発明におけるペン立ては、ペンを格納し取り出す分野に広く用いることができる。
【符号の説明】
【００４５】
１０：ペン立て    
１１：立体部材    
１２：ペン立て用凹部    
１４：天面    
１５：底面    
１６：図案形成部    
２０：ペン立て    
２１：立体部材    
２２：ペン立て用凹部    
２３：小径円弧を断面とする筒状形状    
２４：天面    
２５：底面    
Ｐ：ペン    
【要約】
【課題】簡単な構造で格納しやすく取り出しやすいペン立てを実現することを課題とする。
【解決手段】少なくとも一部が平坦でかつ互いに平行な底面１５と天面１４とを有した立体形状の立体部材１１と、前記立体部材１１の前記天面１４に設けられ、断面形状が略多角形状であり、１本のペンを格納するためのペン立て用凹部１２と、を備えたことを特徴とするペン立て１０とした。この構成により、略多角形の角部に倒れかかるように格納したペンがペン立て用凹部内での隙間が十分保たれるとともに、取り出し易い角度で傾斜することにより、簡単な構造で格納しやすく取り出しやすいペン立てを実現することができる。
【選択図】図１【図１】
0006630018.tif 000002
【図２】
0006630018.tif 000003
【図３】
0006630018.tif 000004
【図４】
0006630018.tif 000005
【図５】
0006630018.tif 000006
【図６】
0006630018.tif 000007